(57)【要約】本発明は、互いに組み合わされて下部フラットサポートを構成する複数のサポートモジュール（１０）を備えたアッセンブリーに関する。下部フラットサポートは、垂直方向において、床とモジュラー上部カバーとの間に挿入され得る。モジュラー上部カバーは、サポートモジュール（１０）の上面（１２）に貼り付けられる複数のカバー要素（１０２）を有する。各モジュラーカバー要素（１０２）は、垂直方向（V）において、サポートモジュール（１０）の上面（１２）に対して、相補的な形状により協働関係にある確実手段（１１８，５０）を用いた弾性相互ロック構造によって貼り付けられる。
2015514169.tif 000002
【特許請求の範囲】
【請求項１】
フロア被覆材を製造するためのアッセンブリーであって、
多角形状の外形を有する板であって、平らで水平な上面（１２）を有し、組み合わされることで垂直方向において床と上部被覆材との間に配置可能なフラットサポートを構成する複数のサポートモジュール（１０）を備えた下部モジュラーサポート構造（１００）と、
前記サポートモジュール（１０）の上面（１２）に固定される、例えばスラブやボードなどの、隣り合う複数のモジュラー被覆要素（１０２）を複数備えたモジュラー上部被覆材と、
を備え、
各モジュラー被覆要素（１０２）は、垂直方向（V）において、相補的な形状により協働関係にある締結手段（１１８、５０）を用いたスナップ嵌合により、前記サポートモジュール（１０）の上面に固定される、
アッセンブリー。
【請求項２】
直前の請求項に記載のアッセンブリーであって、
前記締結手段（１１８、５０）は、
各モジュラー被覆要素（１０２）の下面（１０６）に形成され、２つの反対向きの奥行き方向のフック溝（１２０）を有する、少なくとも１つの固定レール（１１８）と、
各サポートモジュール（１０）の前記上面（１２）に形成され、互いに向かい合うように対を成して配置された、複数の弾性変形可能なフック（５０）と、
を備え、
前記対を成すフック（５０）は、奥行き方向に揃えられ、前記モジュラー被覆要素（１０２）が前記サポートモジュール（１０）の前記上面（１２）に固定されるとき、前記対を成すフック（５０）を構成する２つの向かい合う前記フックが前記固定レール（１１８）の２つの反対向きの前記溝（１２０）にそれぞれ受け止められるように配置されている、
アッセンブリー。
【請求項３】
直前の請求項に記載のアッセンブリーであって、
各固定レール（１１８）の断面形状はダブテール形状である、
アッセンブリー。
【請求項４】
請求項２に記載のアッセンブリーであって、
各モジュラー被覆要素（１０２）の下面（１０６）には、複数の固定レール（１１８）が一定の横ピッチで平行に設けられており、
各サポートモジュール（１０）の前記上面（１２）には、奥行き方向に揃えられた前記フック（５０）の対が複数の平行な列を成して配置されており、複数の平行な列は同一の横ピッチで配置されている、
アッセンブリー。
【請求項５】
請求項２〜４の何れかに記載のアッセンブリーであって、
各固定レール（１１８）は、前記モジュラー被覆要素（１０２）の全長にわたって延びている、
アッセンブリー。
【請求項６】
上記何れかに記載のアッセンブリーであって、
前記サポートモジュール（１０）の前記上面（１２）には、複数の位置決めピン（６０）が設けられており、
前記複数の位置決めピン（６０）は、前記サポートモジュール（１０）の前記上面（１２）から浮かび上がるように形成されており、前記モジュラー被覆要素（１０２）の前記下面（１０６）から下向きに突出する位置決めリブ（１１０、１１６）と協働する、
アッセンブリー。
【請求項７】
請求項２〜６の何れかに記載のアッセンブリーであって、
各モジュラー被覆要素（１０２）は、一定の多角形状の外形、特に長方形、を有し、
各固定レール（１１８）は、モジュラー被覆要素（１０２）の外形の長手方向に対して平行に延びている、
アッセンブリー。
【請求項８】
直前の請求項に記載のアッセンブリーであって、
各モジュラー被覆要素（１０２）の最大長さは、前記サポートモジュール（１０）の最大長さよりも大きい、
アッセンブリー。
【請求項９】
上記何れかに記載のアッセンブリーであって、
各サポートモジュール（１０）及び／又は各モジュラー被覆要素（１０２）は、特に樹脂材料の、単一の鋳造品である、
アッセンブリー。
【発明の詳細な説明】
【技術分野】
【０００１】
本発明は、フロア被覆材を製造するためのアッセンブリーに関する。本発明は、特に、ＦＲ２９５５６０１Ａで説明され図示されたフロア被覆材のモジュラーサポート構造を補完するものである。
【背景技術】
【０００２】
この文献は、フロア被覆材のモジュラーサポート構造を説明及び図示している。フロア被覆材は、例えばスラブやボードなどの複数の隣り合うモジュラー被覆要素を有する。モジュラー被覆要素は、フロアを構成するモジュラー要素と地面との間に配置される下部フラットサポートの上面に固定される。
【０００３】
この文献は、フロア被覆材を構成する複数のモジュラー被覆要素自体を固定する方法を提案している。即ち、地面とフロアの間に配置されるフロアの下部モジュラーサポート構造の板に設けられているスタッドに対してネジや爪などの要素を作用させて固定する。
【発明の概要】
【発明が解決しようとする課題】
【０００４】
本発明は、フロア被覆材を製造するためのアッセンブリーに関する。アッセンブリーは、多角形状の外形を有する板であって、平らで水平な上面を有し、組み合わされることで垂直方向において床と上部被覆材との間に配置可能なフラットサポートを構成する複数のサポートモジュールを備えた下部モジュラーサポート構造と、前記サポートモジュールの上面に固定される、例えばスラブやボードなどの、隣り合う複数のモジュラー被覆要素を複数備えたモジュラー上部被覆材と、を備える。
【０００５】
本発明の目的は、搭載し組み立てて固定する際にネジや爪を不要とするためのモジュラー被覆要素の新規な締結手段を提案することにある。
【課題を解決するための手段】
【０００６】
この目的のために、本発明は、以下の述べるアッセンブリーを提案する。即ち、
各モジュラー被覆要素は、垂直方向において、相補的な形状により協働関係にある締結手段を用いたスナップ嵌合により、サポートモジュールの上面に固定される。
【０００７】
この設計によれば、例えばスラブやボードなどのモジュラー被覆要素の位置決めや組立・配置が簡単なスナップ嵌合によって行うことができるので、例えばネジ回しやネジのような特別な固定工具を不要とすることができる。
【０００８】
本発明の他の特徴としては、
前記締結手段は、各モジュラー被覆要素の下面に形成され、２つの反対向きの奥行き方向のフック溝を有する、少なくとも１つの固定レールと、各サポートモジュールの前記上面に形成され、互いに向かい合うように対を成して配置された、複数の弾性変形可能なフックと、を備え、前記対を成すフックは、奥行き方向に揃えられ、前記モジュラー被覆要素が前記サポートモジュールの前記上面に固定されるとき、前記対を成すフックを構成する２つの向かい合う前記フックが前記固定レールの２つの反対向きの前記溝にそれぞれ受け止められるように配置されている、
各固定レールの断面形状はダブテール形状である、
各モジュラー被覆要素の下面には、複数の固定レールが一定の横ピッチで平行に設けられており、各サポートモジュールの前記上面には、奥行き方向に揃えられた前記フックの対が複数の平行な列を成して配置されており、複数の平行な列は同一の横ピッチで配置されている、
各固定レールは、前記モジュラー被覆要素の全長にわたって延びている、
前記サポートモジュールの前記上面には、複数の位置決めピンが設けられており、
前記複数の位置決めピンは、前記サポートモジュールの前記上面から浮かび上がるように形成されており、前記モジュラー被覆要素の前記下面から下向きに突出する位置決めリブと協働する、
各モジュラー被覆要素は、一定の多角形状の外形、特に長方形、を有し、
各固定レールは、モジュラー被覆要素の外形の長手方向に対して平行に延びている、
各モジュラー被覆要素の最大長さは、前記サポートモジュールの最大長さよりも大きい、
各サポートモジュール及び／又は各モジュラー被覆要素は、特に樹脂材料の、単一の鋳造品である。
【０００９】
本発明のその他の特徴や利点は、よりよい理解のために添付の図面を参照しつつ、以下の詳細な説明により導き出される。
【図面の簡単な説明】
【００１０】
【図１】図１は、下部モジュラーサポート構造に属する板の斜視図である。
【図２】図２は、立面断面図であって、向かい合う下側の板と上部モジュール要素を補完的な組立手段と共に示している。組立前の状態を示している。
【図３】図３は、図２と類似する図であって、２つの要素の組立後の状態を示している。
【図４】図４は、本発明の実施形態におけるアッセンブリーの模式的な斜視図である。
【発明を実施するための形態】
【００１１】
以下の説明において、同一の又は類似する要素には、同一の参照符号を付す。
【００１２】
明細書と請求項をよく理解するために、あくまで例示として、垂直、水平、奥行き方向、横向きを地球上の重力と図面に示したＬ、Ｖ、Ｔから成る三面体に対応させて使用する。
【００１３】
下部モジュラーサポート構造１００は、ＦＲ２９５５６０１Ａで説明されたものに対応している。
【００１４】
この下部構造１００は、複数のモジュール１０を有し、複数のモジュール１０を組み立てることで、下部モジュラーサポート構造が構成される。
【００１５】
各モジュール１０は、正方形の外形を有する板であって、使用時では主面が水平とされる。即ち、主面は、それ自体が設置される地面に対して平行とされる。
【００１６】
各板１０は、水平で平らな上面１２と、その反対側の、地面に置かれる水平で平らな下面１４と、を有する。
【００１７】
板１０の水平で平らな上面１２を組み合わせることで、本発明における下部モジュラーサポート構造の平らで水平な上面１２を構成する。
【００１８】
モジュール１０を組み合わせることでフラットサポートを構成する。フラットサポートは、水平で平らな上面１２を有する。フラットサポートは、垂直方向において、地面と、フロアを構成する上部被覆材と、の間に配置される。
【００１９】
あくまで例示としてだが、上部被覆材の各モジュラー要素１０２は、長方形の外形を有するスラブ又はボードであって、奥行方向Ｌにおいて最大長となるように延びている。
【００２０】
各要素１０２は、ボードとして形成されている。各要素１０２の上面１０４には、奥行き方向に延びる溝１０５が形成されている。
【００２１】
ボード１０２は、長手方向に着目するとモジュラー要素１０よりも大きい。ボード１０２は、特に、複数の隣り合う下部モジュール１０を奥行き方向において同時に覆うような長さを有する（図４参照）。
【００２２】
各ボード１０２は、下側水平面１０６を有する。２つの反対側に配置された側方リブ１１０が、ボード１０２の側方エッジ１０８両側において下側水平面１０６から延びている。
【００２３】
各リブ１１０は、エッジ１０８において外側垂直側面１１４を有する。各リブ１１０は、下側水平面１１２を有する。下側水平面１１２は、ボード１０２が下部モジュラー構造に組み合わされ固定された状態で、下部モジュール１０の水平な上面１２によって支持され得る。
【００２４】
最後に、各側方リブ１１０は、傾斜した内側奥行き面１１６を有する。内側奥行き面１１６の機能は後述する。
【００２５】
中央、即ち、実質的に２つのリブ１１０の間の半分の距離の地点において、ボード１０２は、中央固定レール１１８を有する。
【００２６】
レール１１８は、立面断面図において、また、特に図２及び図３から明らかであるように、特に２つの反対向きの側溝１２０を有するダブテール形状を呈している。
【００２７】
固定レール１１８は、同様に、下側平面１２２を有する。下側平面１２２は、リブ１１０の下側水平面１１２と同一平面上にある。下側平面１２２は、モジュラー構造１００上にボード１０２が組み合わされた状態で、モジュラー要素１０の上面１２に垂直方向で支持される。
【００２８】
奥行方向で水平な平坦な面１１２・１２２によるボード又はスラブ１０２の垂直下向きの支持は、下部モジュラー構造の水平な上面１２上における極めて安定的な支持を実現している。
【００２９】
固定レール１１８の奥行方向で水平の下側平面１２２は、奥行方向に延びる反対向きの溝１２０の各々に対して、ベベル状に傾斜した奥行方向に延びるファセット１２４を介して接続しており、その機能面については後述する。
【００３０】
側方リブ１１０及び中央の固定レール１１８は、あくまで例示としてだが、ボード１０２の全長にわたって延びており、奥行方向Lにおいて連続した断面形状を有する。
【００３１】
あくまで例示としてだが、ボード１０２の横幅は、その下面がちょうど１つの固定レール１１８を有する程度とされる。本発明の技術的範囲から逸脱しない範囲内であれば、ボードは、下面１０６の下側に規定のピッチで横向きに分布配置された幾つかの平行な固定レールを有してもよい。
【００３２】
固定補完手段は、補完形状及びスナップ嵌合によりスラブ又はボード１０２を下側モジュール１０の集合体によって構成した下部モジュラー構造１００に固定する。固定レール１１８は、固定補完手段の一部を構成している。
【００３３】
この目的のため、下部モジュラー構造１００の補完手段は、各モジュラーサポート要素１０の上面１２に形成された複数の弾性変形可能なフックを有する。
【００３４】
より正確に言えば、各モジュラーサポート要素１０は、向き合って対を成すフック５０を複数対有する。フック５０は、水平面１２から垂直に突出するように延びている。
【００３５】
各フック５０は、弾性変形可能なブレード５２を有する。ブレード５２は、垂直方向に且つ奥行方向で全体的に延びており、その上側の自由端にはフックを構成するリブ５６がそれぞれ形成されている。ブレード５２は、組み立てられた状態で、補完的な溝１２０に受け止められ得る。
【００３６】
ブレード５２は、リブ５６を伴ってフックを構成しており、弾性変形可能とされ、もって、一対の弾性変形可能なフックを構成している。垂直に圧力を加えられることでスナップ嵌合が実行され、レール１１８が奥行方向に揃えられた複数対のフック５０の間に案内される際に、レール１１８の傾斜したファセット１２４とフック５０のベベル状の上面５８との協働によって上記弾性変形が行われる。
【００３７】
フック５０が簡単には壊れないように、各ブレード５２は、横向きで垂直方向の強化溝５４を介してモジュール１０の骨格に接続されている。
【００３８】
対を成すフックを構成する２つのフック５０の相対的なサイズや位置は、当然に、反対向きの２つの溝１２０を有する固定レール１１８の幅に対して補完関係にある。
【００３９】
図１から明らかであるように、各上面１２は、奥行方向に揃えられた複数対のフック５０を有する。これらは、モジュール１０が、幾つかの平行な固定レールを有するスラブ又はボード１０２を受け入れることができるように、固定レールの横ピッチと同一の横ピッチで配置されている。同様に、これらは、モジュール１０が、隣り合う２つのボード１０２にそれぞれ属する２つの平行な固定レール１１８が、奥行方向に揃えられた複数対のフックに受け入れられるように、固定レールの寸法と位置が決められて、幾つかのスラブ又は隣り合うボードを受け入れることができるように、固定レールの横ピッチと同一の横ピッチで配置されている。
【００４０】
また、更に容易な位置決めのために、また、ボード１０２を組み立てられた状態のまま下部モジュラー構造１００に保持させるために、各サポートモジュール１０の上面には、複数の位置決めピン６０が設けられている。複数の位置決めピン６０は、水平な上面１２から浮かび上がるように形成されている。
【００４１】
各ピン６０は、側方において、傾斜する外部側面６２を有する。外部側面６２の傾斜の度合いは、ボード又はスラブ１０２のリブ１１０の傾斜内側側面１１６のそれと対応している。
【００４２】
そして、図３から明らかなように、組み立てられた状態で、ピン６０の傾斜する外側側面６２は、リブ１１０の内側傾斜面１１６と協働する。
【００４３】
従って、隣り合う上部モジュラー要素１０２によって構成されたフロア被覆材のすべての組立及び高精度な位置決めが、簡素な位置合わせとスナップ嵌合によって実行され、即ち、何ら特別な工具を必要とすることがない。
【００４４】
必要であれば、追加的に、ＦＲ２９５５６０１Ａでも指摘しているように、この目的のために、位置決め及び組立の後、ネジや爪を下側部材１０板５のスタッド３０、又は固定レール１１８やスタッド３０を構成する材料のコアに係合させることで、完全な固定を実行してもよい。また、この目的のために、完全な固定は向かい合う一対のフック５０の間の中央で行われ、即ち、固定レール１１８の下面１２２において行われてもよい。
【図１】
2015514169.tif 000003
【図２】
2015514169.tif 000004
【図３】
2015514169.tif 000005
【図４】
2015514169.tif 000006
【国際調査報告】
2015514169.tif 000007
2015514169.tif 000008
2015514169.tif 000009
2015514169.tif 000010